(57)【特許請求の範囲】
【請求項１】
車両のシャシフレームの上部に、客室内を占めるように格子形の骨格フレームを据付け、同骨格フレーム上に床部材が敷かれるバスの床構造であって、
前記床部材には、複数のシートが、同シートに有る脚部と共に車両前後方向に並んで配置され、
前記骨格フレームは、並ぶ前記シートの車両車幅方向片側の脚部位置に沿って車両前後方向に延び、前記客室の車両前後方向の領域を連続して通る縦骨格部材と、車両車幅方向で分割され、前記縦骨格部材の両側部にそれぞれ固定されて車両車幅方向に張り出す横骨格部材とを有して格子形に形成され、
前記縦骨格部材は、前記横骨格部材の端が両側から固定される前記車両車幅方向に並ぶ側壁と、これら側壁の上部間に設けられて前記床部材の下面に配置される上部壁とを有し、前記上部壁が前記シートの脚部位置に沿って車両前後方向に配置され、
前記縦骨格部材の上部壁には前記各シートの脚部を固定する固定孔が設けられ、
前記縦骨格部材の上部壁だけが、前記各シートの車両車幅方向片側の脚部を取り付ける脚取付部となると共に、
前記縦骨格部材の下部と前記シャシフレームとが結合する
ことを特徴とするバスの床構造。
【請求項２】
前記縦骨格部材は、前記上部壁の背面に、全長に渡り、ねじ孔加工が可能な所定の厚み寸法をもつシートタッププレートが取着され、
前記上部壁と前記脚部とをねじ止めにより固定可能にしてある
ことを特徴とする請求項１に記載のバスの床構造。
【請求項３】
前記縦骨格部材の下部は、前記側壁のうちの一方を延ばし、同延出端を前記シャシフレームと取り合う位置まで延ばしたＬ形の断面形状で形成されるフレーム取付部を有する
ことを特徴とする請求項２に記載のバスの床構造。
【発明の詳細な説明】
【技術分野】
【０００１】
本発明は、シャシフレームの上部に、床部材を支持する格子形の骨格フレームを取付けてなるバスの床構造に関する。
【背景技術】
【０００２】
送迎バスなど自家用バスなどでは、バス車両のシャシフレームの上部に、客室内を占めるように格子形の骨格フレームを設置し、この骨格フレームで床部材を支持し、同床部材に複数のシートを車両前後方向に配置することが行われている（特許文献１などを参照）。
こうした自家用バスに用いられる骨格フレームは、一般に客室の車幅方向の領域を連続して延びる複数の横骨格部材と、車両前後方向で分割され、横骨格部材間に組付く複数の縦骨格部材とを格子形に組合わせた構造が用いられる。特に横骨格部材の多くは角パイプが用いられる。
【０００３】
ところで、自家用バスでは、観光バスとは異なり、シートレールを用いず、直にシートの脚部を床面に固定している。具体的には、シートの脚部位置と対応した骨格フレームの各個所、すなわち、分かれた縦骨格部材の各部や横骨格部材の各部に、各場所に応じた脚取付部をなす部分を形成し、同部分にシートの脚部をボルト止めしている。
【先行技術文献】
【特許文献】
【０００４】
【特許文献１】特開平１１−２０８５２６号公報
【発明の概要】
【発明が解決しようとする課題】
【０００５】
ところが、こうした骨格部材の各部に、それぞれ個々に脚部が取付く部分を形成する構造は、手間がかかり、シート脚部の取付けを面倒なもの、さらには部品点数の増加を招き、構造的に複雑なものとしていた。
そこで、本発明の目的は、面倒な作業や部品点数の増加を強いずにすむ合理的な構造で、複数のシートの脚部の固定が行えるバスの床構造を提供することにある。
【課題を解決するための手段】
【０００６】
請求項１に記載の発明は、上記目的を達成するために、骨格フレームは、並ぶシートの車両車幅方向片側の脚部位置に沿って車両前後方向に延び、客室の車両前後方向の領域を連続して通る縦骨格部材と、車両車幅方向で分割され、縦骨格部材の両側部にそれぞれ固定されて車両車幅方向に張り出す横骨格部材とを有して格子形に形成され、縦骨格部材は、横骨格部材の端が両側から固定される車両車幅方向に並ぶ側壁と、これら側壁の上部間に設けられて床部材の下面に配置される上部壁とを有し、上部壁がシートの脚部位置に沿って車両前後方向に配置され、縦骨格部材の上部壁には各シートの脚部を固定する固定孔が設けられ、縦骨格部材の上部壁だけが、各シートの車両車幅方向片側の脚部を取り付ける脚取付部となると共に、縦骨格部材の下部とシャシフレームとが結合するものとした。
同構成によると、車両の客室の領域を連続して通る縦骨格部材そのものが、複数のシートの脚部を固定する脚取付部を兼ねるから、従来のような個々に脚取付部を形成するような面倒な手間はなくなり、複数のシートの脚部の固定が合理的に行える。しかも、骨格フレームは、シートの脚部の固定だけではなく、シャシフレームへの固定も行える。
【０００７】
請求項２の発明は、上記目的に加え、求められるねじ部が簡単に確保されるよう、上部壁の背面に、全長に渡り、ねじ孔加工が可能な所定の厚み寸法をもつシートタッププレートを取着し、上部壁と脚部とをねじ止めにより固定可能な構造にした。
請求項３の発明は、上記目的に加え、骨格フレームとシャシフレームとの固定も、別途ブラケットの取付けを必要とせずに合理的に行えるよう、縦骨格部材の下部に、側壁のうちの一方を延ばし、同延出端をシャシフレームと取り合う位置まで延ばしたＬ形の断面形状で形成されるフレーム取付部を有する構造とした。
【発明の効果】
【０００８】
請求項１の発明によれば、車両の客室の領域を連続して通る長尺の縦骨格部材そのものが、複数のシートの脚部を固定するための脚取付部を兼ねるから、シートの脚部毎に脚取付部を骨格フレームの各部に形成する手間はなくなり、合理的に複数のシートの脚部の固定が行える。しかも、部品点数も抑えられる。
したがって、面倒な作業や部品点数の増加を強いずにすむ合理的な構造で、各シートの脚部の固定を行うことができる。そのうえ、骨格フレームは、シートの脚部の固定だけではなく、シャシフレームへの固定もできる。
【０００９】
請求項２の発明によれば、求められるねじ部が簡単に確保でき、確実にシートの脚部をねじ止めで固定することができる。
請求項３の発明によれば、別途ブラケットを骨格フレームに取付けるという面倒な作業を必要とせずに、合理的に骨格フレームをシャシフレームに取付けることができる。
【図面の簡単な説明】
【００１０】
【図１】本発明の一実施形態のバスの床構造を示す斜視図。
【図２】同床構造を分解した斜視図。
【図３】縦骨格部材と、シート脚、シャシフレームとの固定構造を示す分解斜視図。
【図４】同固定構造の断面図。
【発明を実施するための形態】
【００１１】
以下、本発明を図１ないし図４に示す一実施形態にもとづいて説明する。
図１は、送迎バスなどの自家用バス、例えば床面高さの高い２ステップ式の自家用バスにおける一般部の客室の一部を示し、図２は同客室の床構造を示し、図３および図４は同床構造における骨格フレームとシート脚、シャシフレームとの取付けの詳細をそれぞれ示している。ここでは客室の一般部は、車両前部に有る運転席と車両後部の最後席との間の客室部分をいう。
【００１２】
図１に示す自家用バス（バス車両）を説明すると、図中１は車両前後方向に延びる客室１ａを構成する車体、２は同車体１の下側に設けられたシャシフレームを示している。シャシフレーム２は、図２に示されるように例えば車幅中央寄りを通って車両前後方向に延びる一対のサイドフレーム３（チャンネル部材よりなる）と、同サイドフレーム３と交差する方向に延びる複数のクロスメンバ４とを組み合わせた井桁構造をなしている（一部しか図示せず）。サイドフレーム３の前後方向複数個所には、それぞれ床を受けるブラケット５が設けてある。具体的にはブラケット５は、例えばＬ形部材からなり、上下反対にしてサイドフレーム３の側壁に取着され、シャシフレーム２の直上に水平向きで取付座５ａを配置させている。
【００１３】
このシャシフレーム２の上部には、図１および図２に示されるように客室１ａの一般部を占めるように格子形の床形成用骨格フレーム７（以下、骨格フレーム７という）が設置されている。さらに述べると骨格フレーム７は、シャシフレーム３のブラケット５で支持され、同支持でフレーム全体を、シャシフレーム２から所定距離、離れた２ステップバスの仕様となる床面位置に配置させている。なお、図示はしないが一般部以外の他のシャシ部分にもフレームは設けられる。
【００１４】
骨格フレーム７上には、図１に示されるように床板９（本願の床部材に相当）が敷かれ、客室１ａの一般部の床面を形成している。この床面上に、複数のシート、ここでは前向きの２座席シート１０（シートクッション１０ａとシートバック１０ｂからなる：以下、単にシート１０という）が、それぞれ客室１ａの車幅方向両側に、車両前後方向に沿って所定のシート間隔で配置される。なお、図示しない車両前部や車両後部のフレーム上にも床板は敷かれる。
【００１５】
シート１０は、例えばシートクッション１０ａの客室１ａの側壁１ｂ側（シートの一側部）に取付座（図示しない）を有し、シートクッション１０ａの客室１ａの中央側（シートの他側部）に脚部１１を有して構成されている。つまり、シート１０は、一側に有る取付座が客室１ａの側壁１ｂに固定され、他側に有る脚部１１が床側にねじ止めされる構造となっている。なお、例えば脚部１１には、シートクッション１０ａの下部から一対のアーム１１ａを延ばし、アーム間に固定座１１ｂを設けた構造が用いてある。
【００１６】
床側をなす骨格フレーム７には、各シート１の脚部１１との固定を、手間なく、簡単な構造で行える工夫が施されている。さらに骨格フレーム７には、シャシフレーム２との固定も、手間なく、簡単な構造で行える工夫も施されている。
いずれも、図２〜図４に示されているように骨格フレーム７の格子構造や部材の断面形状に工夫を施して、骨格フレーム７自身をそのまま、複数のシート脚部との取付けを行う部分、シャシフレーム２との結合を行う部分として兼ねさせる技術が用いられている。
【００１７】
すなわち、脚部１１と取付く部分を骨格フレーム７で兼ねさせる点を説明すると、骨格フレーム７は、従来のような客室の車幅方向を通る横骨格部材に、分割された車両前後方向に延びる縦骨格部材を組み合わせた構造（「背景技術」）とは異なり、図２に示されるように各シート１０の脚部位置で車両前後方向沿いに客室１ａの一般部の領域を通るまで連続して延びる複数本、ここでは２本のメインとなる縦骨格部材１２と、車幅方向で分割された複数の横骨格部材１３（例えば角パイプよりなる）とを用い、縦骨格部材１２の車両前後方向の各部両側に、横骨格部材１３を縦骨格部材１２と交差するよう固定し、車幅方向に張り出す横骨格部材１３や車両前後方向を通る縦骨格部材１２から格子形を形成する構造が用いてある。なお、横骨格部材１３端は、サブとなる縦骨格部材１３ａが結合してある。
【００１８】
つまり、骨格フレーム７は、縦骨格部材１２全体が脚部１１が有る複数の地点に渡り配置される構造となっている。このうち縦骨格部材１２は、薄肉の板金を成形してなる車両前後方向に細長く延びる筒状部材から構成されている。そして、同縦骨格部材１２の上部全体の形状を、そのまま、各脚部１１の取付けをなす取付部分として用いられる断面形状にしている。具体的には図３および図４に示されるように縦骨格部材１２の上部は、ハット形（逆Ｕ形）の断面形状に形成してある。
【００１９】
つまり、縦骨格部材１２のハット形部１４は、両側の側壁１５が横骨格部材１３と結合（ここでは上面が面一で結合）される部位となり、残るハット形部１４の、各脚部１１の直下に配置される平坦な上部壁１６（本願の上面部に相当）が、各脚部１１を固定するための部分となる。これで、縦骨格部材１２の上部全体は、今まで複数のシート１０を取り付けるために必要であった個々の脚取付部を統一的に兼ねる１つの脚取付部１７となる。
【００２０】
特に板金製（軽量化のため）の縦骨格部材１２は、締結に必要なねじ部の長さが確保し難いため、上部壁１６の裏面（本願の背面に相当）には、縦骨格部材１２の全長に渡り、所定の厚み寸法をもつ帯形のシートタッププレート１８が取着（溶接など）されている（図３、図４に図示）。なお、シートタッププレート１８は、シート１０の脚部１１に取付けに必要なねじ孔１８ａを確保するのに用いられ、ねじ孔加工が可能な部材から構成されている。
【００２１】
このように各脚部１１が取付く位置の直下の全域に、縦脚取付部１７を兼ねる縦骨格部材１２が配置されると、脚部１１の固定は、図３および図４に示されるように脚部位置と対応する上部壁１６の各部に孔をあけ、シートタッププレート１８の各部にねじ孔１８ａをあければ、脚部１１の通孔１１ｃからねじ孔１８ａへ取付ボルト２０をねじ込むだけですむようになる。
【００２２】
また、縦骨格部材１２の下部は、シャシフレーム２の結合をなす部分を兼ねる断面形状となっている。具体的には、縦骨格部材１２の下部は、ハット形部１４の側部壁１５の一方の全体を、下方へ延ばし、延出端を横向きにしたＬ形の断面形状で形成されている（Ｌ形部２２）。
本実施形態では、脚部１１の取付位置よりシャシフレーム２の取付位置が車幅方向外側に有るために、２本の縦骨格部材１２は、縦骨格部材１２のＬ形部２２の先端側が車幅方向外側へ向くよう向って反対（対称）に配置してある。
【００２３】
ここで、各Ｌ形部２２の延出端は、シャシフレーム２のブラケット５の支持面位置と取り合う地点まで延ばしてある。この断面形状により、縦骨格部材１２の下部全体を、点在するブラケット５の支持面５ａと重合可能なＬ形の断面、すなわちフレーム取付部２５としている。
つまり、車両前後方向に渡る縦骨格部材１２の下部（Ｌ形部２２）は、シャシフレーム２の上方の所定位置に配置さえすれば、シャシフレーム２の各部に点在したブラケット５と重なり合う形状となっている。これで、縦骨格部材１２の下部全体は、今までシャシフレーム２を取り付けるために必要であった個々の取付部を統一的に兼ねるフレーム取付部２５（一つ）となり、いずれの脚部１１のときも、図３および図４に示されるように支持面５ａの有る壁部５ｂと、同支持面５ａ上に重なるＬ形部２２の横壁２２ａ（下壁）間に取付ボルト２６を挿通し、ナット２７で締結するだけで、骨格フレーム７がシャシフレーム２に固定されるようになる。
【００２４】
かくして、各脚部位置に沿いに車両前後方向を通る縦骨格部材１２をもつ骨格フレーム７を用い、同縦骨格部材１２の上部をハット形の断面形状にしたことにより、ハット形断面の上部壁１６そのものが、複数のシート１０の脚部１１を固定する脚取付部１７を兼ねるから、従来のような個々に脚取付部を形成する手間を必要とせずに、各脚部１１を床面に据付けることができる。しかも、部品点数は抑えられる。
したがって、面倒な作業や部品点数の増加を強いずにすむ合理的な固定構造で、複数のシート１０の脚部１１の取付けができる。特にハット形部２１の裏面（車両前後方向全体）にシートタッププレート１８を設けると、簡単に高い締結力を発揮するねじ孔１８ａ（ねじ部）が確保できるから、取付ボルト２０で十分に脚部１１をねじ止め固定できる。
【００２５】
しかも、縦骨格部材２の下部をＬ形の断面形状にして、Ｌ形部２２そのものがシャシフレーム２と取付くフレーム取付部２５を兼ねる構造にしたことにより、シート１０の脚部１１の取付けだけでなく、シャシフレーム２との取付けも、別途ブラケットの骨格フレームに取付けるという面倒な作業、複雑な構造を必要とせずに合理的に行うことができる。そのうえ、車幅方向（横向き）に向く、ハット形部１４とＬ形部２２間の開放部２９は、シャシフレーム２と骨格フレーム１２とをボルトナットで固定するための開放した作業空間となるから、シャシフレーム２下から容易に固定ができる。２ステップ式のバスなど、シャシフレーム２より高い地点に骨格フレーム７を取付ける床構造には好適である。
なお、本発明は上述した一実施形態に限定されるものではなく、本発明の主旨を逸脱しない範囲内で種々可変して実施しても構わない。上述した一実施形態では、本発明を２ステップ式の自家用バスに適用したが、これに限らず、他のバス車両に適用してもよい。
【符号の説明】
【００２６】
１ａ  客室
２  シャシフレーム
７  骨格フレーム
１０  シート
１１  脚部
１２  縦骨格部材
１３  横骨格部材
１７  脚取付部
１８  シートタッププレート
２５  フレーム取付部
２９  開放部分
【図１】
0005704310.tif 000002
【図２】
0005704310.tif 000003
【図３】
0005704310.tif 000004
【図４】
0005704310.tif 000005